(57)【要約】【課題】ガラス基板のガラス板が気泡を含んでいても、位相差板によって気泡による輝点欠陥の発生を抑制できる液晶表示装置の提供。【解決手段】本発明の液層表示装置１は、バックライト２と、液晶層３を介して向かい合い、それぞれガラス板を含む一対のガラス基板４Ａ，４Ｂを有する液晶セルと、バックライト２と液晶層３との間に配置する奥側偏光板７Ｂと、液晶層３を介して奥側偏光板７Ａと向かい合う手前側偏光板７Ｂと、液晶層３を、その厚み方向に対して斜めに進むバックライト２からの光の位相差を補償する位相差板６とを備え、一対のガラス基板４Ａ，４Ｂのうち、少なくとも奥側のガラス基板７Ａのガラス板が気泡４０を含み、位相差板６が奥側のガラス基板４Ａよりも手前にのみ配置する。【選択図】図１
2010276670.tif 000002
【特許請求の範囲】
【請求項１】
バックライトと、
液晶層を介して向かい合い、それぞれガラス板を含む一対のガラス基板、を有する液晶セルと、
前記バックライトと前記液晶層との間に配置する奥側偏光板と、
前記液晶層を介して前記奥側偏光板と向かい合う手前側偏光板と、
前記液晶層を、その厚み方向に対して斜めに進む前記バックライトからの光の位相差を補償する位相差板と、を備える液晶表示装置であって、
前記一対のガラス基板のうち、少なくとも奥側のガラス基板のガラス板が、気泡を含み、
前記位相差板が、奥側のガラス基板よりも手前にのみ配置することを特徴とする液晶表示装置。
【請求項２】
位相差板が、一対のガラス基板の間に配置し、液晶セル内に含まれる請求項１に記載の液晶表示装置。
【請求項３】
奥側偏光板及び／又は手前側偏光板が、一対のガラス基板の間に配置し、液晶セル内に含まれる請求項２に記載の液晶表示装置。
【請求項４】
一対のガラス基板のうち、少なくとも奥側のガラス基板が、フュージョン法によって製造されたものである請求項１〜３の何れか１項に記載の液晶表示装置。
【請求項５】
少なくとも奥側のガラス基板のガラス板が、０．２０ｍｍ以上の気泡を含む請求項１〜４の何れか１項に記載の液晶表示装置。
【発明の詳細な説明】
【技術分野】
【０００１】
本発明は、ガラス基板を備えた液晶表示装置に関する。
【背景技術】
【０００２】
従来、ＴＮモード、ＶＡモード等の種々の動作モードの液晶を利用した液晶表示装置が知られている。この種の液晶表示装置には、通常、コントラストの低下、表示色の変色、斜め方向から視認した際の着色（又は変色）等の液晶の複屈折等による視野角特性の低下を抑制するための位相差板が備えられている。
る。
【０００３】
図５は、位相差板６’を備える一従来例の液晶表示装置１’の断面構造を模式的に表した説明図である。従来の液晶表示装置１’は、所謂、透過型液晶表示装置であり、光源としてのバックライト２’と、液晶層３’を挟んで向かい合う一対のガラス基板４Ａ’，４Ｂ’を有する液晶セル５’と、前記バックライト２’と前記液晶セル５’との間に配置する奥側偏光板７Ａ’と、前記液晶セル５’を介して前記奥側偏光板７Ａ’と向かい合う手前側偏光板７Ｂ’と、前記液晶セル５’と前記手前側偏光板７Ｂ’との間に配置する位相差板６’と、を備える。なお、図５に示されるように、奥側偏光板７Ａ’の両表面には、透明支持板８’，９’が配置しており、手前側偏光板７Ｂ’の手前側（表示側、視認側）に透明支持板１０’が配置している。
前記一対のガラス基板のうち、奥側のガラス基板４Ａ’は、透明なガラス板上に、スイッチング素子としての薄膜トランジスタ（以下、「ＴＦＴ」という）等が形成されたＴＦＴ基板であり、他方、手前側のガラス基板４Ｂ’は、透明なガラス板上にカラーフィルタ（以下、「ＣＦ」という）層等が形成されたＣＦ基板である。
【０００４】
図５において、バックライト２’が示される液晶表示装置１’の右側が、奥側（光源側、バックライト側）であり、反対の左側が、手前側（表示側、視認側）である。本明細書のその他の図面においても、右側が奥側であり、左側が手前側である。
なお、説明の便宜上、図５には、液晶表示装置１’の主要な構成のみが示され、その他の構成は省略されている（本明細書のその他の図面についても同様）。
【０００５】
液晶表示装置１’は、明表示の状態にあり、図５に示されるように、バックライト２’からの光ｘ０，ｘ１が、透明支持板８’、奥側偏光板７Ａ’、位相差板６’、奥側ガラス基板（ＴＦＴ基板）４Ａ’、液晶層３’、手前側ガラス基板（ＣＦ基板）４Ｂ’、透明支持板９’、手前側偏光板７Ｂ’、及び透明支持板１０’の順にそれらを通過する。
それらを通過した光ｘ０，ｘ１が画像等として視認される。光が通過するそれらのもののうち、液晶層３’は複屈折性を有する。そのため、図５に示されるように、液晶層３’を、その厚み方向（図５に示される矢印Ａ）に対して真っ直ぐに進む光ｘ０と、その厚み方向に対して斜めに進む光ｘ１との間の位相差を補償（光学補償）するために、液晶表示装置１’には、位相差板６’が備えられている。
なお、この種の液晶表示装置１’では、通常、それぞれの偏光板７Ａ’，７Ｂ’を、それぞれの厚み方向を真っ直ぐに通過する光ｘ０と、斜めに通過する光ｘ１との間の光学補償も、位相差板６’によって行われる。
この従来の液晶表示装置１’では、位相差板６’は、一対の偏光板７Ａ’，７Ｂ’のうち一方の奥側偏光板７Ａ’のみに積層されており、この１枚の位相差板６’で、液晶層３’及び各偏光板７Ａ’，７Ｂ’による視野角特性の低下を抑制している。
【０００６】
図６は、位相差板６Ａ’，６Ｂ’を備える他の従来例の液晶表示装置１１’の断面構造を模式的に表した説明図である。この液晶表示装置１１’は、前記液晶表示装置１’とは異なり、２枚の位相差板６Ａ’，６Ｂ’を備える。
この液晶表示装置１１’は、図６の右側より順に示されるように、バックライト（光源）２’、透明支持板８’、奥側偏光板７Ａ’、位相差板６Ａ’、奥側ガラス基板（ＴＦＴ基板）４Ａ’、液晶層３’、手前側ガラス基板（ＣＦ基板）４Ｂ’、位相差板６Ｂ’、手前側偏光板７Ｂ’、及び透明支持板１０’を備える。この液晶表示装置１１’は、図６に示されるように、位相差板６Ａ’，６Ｂ’が、それぞれ偏光板７Ａ’，７Ｂ’に積層されている。
この液晶表示装置１１’では、２枚の位相差板６Ａ’，６Ｂ’で、液晶層３’及び各偏光板７Ａ’，７Ｂ’による視野角特性の低下を抑制している。なお、図６には、図５と同様、明表示の際、バックライト２’から照射された光として、液晶層３’等を、その厚み方向（図６に示される矢印Ａ）に対して真っ直ぐに進む光ｙ０と、液晶層３’等を、その厚み方向に対して斜めに進む光ｙ１が示されている。
【０００７】
以上のように、使用枚数、及び配置個所に違いはあるものの、従来の液晶表示装置１’，１１’では、液晶層３’等を斜めに通過する光ｘ１，ｙ１によって生ずる視野角特性の低下を抑制するために、位相差板６’（６Ａ’，６Ｂ’）が使用されている。この位相差板６’（６Ａ’，６Ｂ’）は、視野角特性の低下を抑制するために厳密に設定された、厚み方向位相差（Ｒｔｈ：厚み方向のレダデーション値）、及び面内方向位相差（Ｒｅ：面内方向のレタデーション値）を有する。なお、位相差板６’（６Ａ’，６Ｂ’）及び液晶層３’等には、それぞれ波長分散特性等があるため、それらの特性をも考慮して、最適なＲｔｈ及び及びＲｅ等の光学特性値を有する位相差板６’（６Ａ’，６Ｂ’）の設計が行われている。
【０００８】
ところで、液晶表示装置１’，１１’等の従来の液晶表示装置には、上記のようにガラス基板４Ａ’，４Ｂ’が使用されている。これらのガラス基板４Ａ’，４Ｂ’には、それぞれ透明なガラス板が使用されている。このガラス板は、従来、フロート法、フュージョン法、ドローダウン法等の公知のガラス板製造法によって製造されている（例えば、特許文献１参照）。
【先行技術文献】
【特許文献】
【０００９】
【特許文献１】特開２００３−１９２３７７号公報
【発明の概要】
【発明が解決しようとする課題】
【００１０】
上記方法でガラス板を製造すると、通常、一定の割合で気泡を含んだガラス板が製造されてしまう。気泡を含んだガラス板は、液晶表示装置のガラス基板として使用できない。以下、その理由を図７及び図８を参照しつつ、説明する。
【００１１】
図７は、気泡を含んだガラス板を有する奥側ガラス基板４Ａ’を備えた液晶表示装置２１’の断面構成を模式的に表した説明図である。この液晶表示装置２１’の構成は、奥側ガラス基板４Ａ’のガラス板が気泡４０’を含んでいること以外は、図５に示される従来の液晶表示装置１’と同様である。図７に示されるように、奥側ガラス基板４Ａ’のガラス板に気泡４０’が含まれていると、バックライト２’から照射された光のうち、気泡４０’によって屈折し、進行方向が変わるもの（光Ｘ２）がある。屈折して進行方向が変わった光Ｘ２は、例えば、黒表示の際、手前側偏光板７Ｂ’で遮光されず、漏れた光（所謂、輝点）として視認される。なお、液晶表示装置２１’が黒表示の際、気泡４０’によって屈折しなかった光Ｘ０，Ｘ１は、通常、手前側偏光板７Ｂ’で吸収される。
【００１２】
図７に示されるように、従来の液晶表示装置２１’は、位相差板６’が、奥側ガラス基板４Ａ’よりも奥側（バックライト側）にのみある。そのため、奥側ガラス基板４Ａ’の気泡４０’で光が屈折すると、その屈折した光Ｘ２は、位相差板６’等で光学補償されることなく、手前側偏光板７Ｂ’まで至り、更に手前側偏光板７Ｂ’を通過することになる。
この液晶表示装置２１’は、気泡４０’による輝点欠陥のため、このままでは使用することが出来ず、問題となっていた。
【００１３】
図８は、気泡を含んだガラス板を有する奥側ガラス基板４Ａ’を備えた他の液晶表示装置３１’の断面構成を模式的に表した説明図である。この液晶表示装置３１’の構成は、奥側ガラス基板４Ａ’のガラス板が気泡４０’を含んでいること以外は、図６に示される従来の液晶表示装置１１’と同様であり、２枚の位相差板６Ａ’，６Ｂ’を備える。図８に示されるように、奥側ガラス基板４Ａ’のガラス板に気泡４０’が含まれていると、バックライト２’からの光Ｙ２が、気泡４０’によって屈折し、光の進行方向が変わる。屈折して進行方向が変わった光Ｙ２は、例えば、黒表示の際、一方の位相差板（手前側の位相差板）６Ａ’を通過するものの、その後、手前側偏光板７Ｂでは遮光されず、手前側偏光板７Ｂを通過して、輝点として認識されてしまう。
【００１４】
この種の液晶表示装置３１’は、２枚の位相差板６Ａ’，６Ｂ’で光学補償を行うことを前提としている。つまり、図６に示されるバックライト２’からの光ｙ１のように、液晶層３’を斜めに横切る光については、２枚の位相差板６Ａ’，６Ｂ’をそれぞれ通過することによって十分な光学補償がなされる。なお、位相差板６Ａ’，６Ｂ’は、それらの表面に対し垂直に入射し、通過する光（例えば、図６に示される光ｙ０）については光学補償しない。
【００１５】
そのため、図８に示されるように、一方の位相差板６Ａ’を光学補償されずに、その厚み方向（図８に示される矢印Ａ）に沿って真っ直ぐ通過した光Ｙ２が、奥側ガラス基板４’の気泡４０’で屈折して、進行方向が液晶層３’の厚み方向からずれて斜め方向に変わってしまうと、たとえ位相差板６Ｂ’を斜めに横切って一部、光学補償されたとしても、その光Ｙ２は、光学補償が十分ではない。そのため光Ｙ２は、液晶表示装置３１’が黒表示の状態であっても、手前側偏光板７Ｂ’から漏れてしまう。
【００１６】
以上のように、ガラス基板のガラス板に気泡が含まれていると、液晶表示装置に輝点不良等が発生するため、気泡を含んだガラス板は液晶表示装置のガラス基板として使用することができない。そのような気泡を含んだガラス板は、廃棄せざるを得ず、液晶表示装置におけるガラス板のコストを高くする原因となっており、問題となっていた。
【００１７】
本発明の目的は、ガラス基板のガラス板が気泡を含んでいても、位相差板によって気泡による輝点欠陥の発生を抑制できる液晶表示装置を提供することである。
【課題を解決するための手段】
【００１８】
＜１＞  本発明に係る液晶表示装置は、バックライトと、液晶層を介して向かい合い、それぞれガラス板を含む一対のガラス基板、を有する液晶セルと、前記バックライトと前記液晶層との間に配置する奥側偏光板と、前記液晶層を介して前記奥側偏光板と向かい合う手前側偏光板と、前記液晶層を、その厚み方向に対して斜めに進む前記バックライトからの光の位相差を補償する位相差板と、を備える液晶表示装置であって、前記一対のガラス基板のうち、少なくとも奥側のガラス基板のガラス板が、気泡を含み、前記位相差板が、奥側のガラス基板よりも手前にのみ配置することを特徴とする。
＜２＞  位相差板が、手前側のガラス基板よりも手前にのみ配置する前記＜１＞に記載の液晶表示装置。
＜３＞  位相差板が、手前側のガラス基板と、手前側偏光板との間に配置する前記＜１＞又は＜２＞に記載の液晶表示装置。
＜４＞  位相差板が、一対のガラス基板の間に配置し、液晶セルに含まれる前記＜１＞に記載の液晶表示装置。
＜５＞  奥側偏光板及び／又は手前側偏光板が、一対のガラス基板の間に配置し、液晶セルに含まれる前記＜６＞に記載の液晶表示装置。
＜６＞  位相差板が、奥側のガラス基板と、液晶層との間に配置する前記＜４＞又は＜５＞に記載の液晶表示装置。
＜７＞  位相差板が、手前側のガラス基板と、液晶層との間に配置する前記＜４＞又は＜５＞に記載の液晶表示装置。
＜８＞  一対のガラス基板のうち、少なくとも奥側のガラス基板が、フュージョン法によって製造されたものである前記＜１＞〜＜７＞の何れか１つに記載の液晶表示装置。
＜９＞  位相差板が、奥側偏光板及び／又は手前側偏光板を、その厚み方向に対して斜めに進むバックライトからの光の位相差を補償する前記＜１＞〜＜８＞の何れか１つに記載の液晶表示装置。
＜１０＞  少なくとも奥側のガラス基板のガラス板が、０．２０ｍｍ以上の気泡を含む前記＜１＞〜＜９＞の何れか１つに記載の液晶表示装置。
＜１１＞  気泡が２．０ｍｍ以下である前記＜１０＞に記載の液晶表示装置。
【発明の効果】
【００１９】
本発明の液晶表示装置によれば、ガラス基板のガラス板が気泡を含んでいても、位相差板によって気泡による輝点欠陥の発生を抑制できる。
【図面の簡単な説明】
【００２０】
【図１】本発明の一実施形態（第一実施形態）に係る液晶表示装置の断面構成を模式的に表した説明図である。
【図２】本発明の他の実施形態（第二実施形態）に係る液晶表示装置の断面構成を模式的に表した説明図である。
【図３】本発明の他の実施形態（第三実施形態）に係る液晶表示装置の断面構成を模式的に表した説明図である。
【図４】本発明の他の実施形態（第四実施形態）に係る液晶表示装置の断面構成を模式的に表した説明図である。
【図５】１枚の位相差板を備えた従来の液晶表示装置の断面構成を模式的に表した説明図である。
【図６】２枚の位相差板を備えた従来の液晶表示装置の断面構成を模式的に表した説明図である。
【図７】奥側ガラス基板が気泡を有する、図５に示される従来の構成の液晶表示装置を示す説明図である。
【図８】奥側ガラス基板が気泡を有する、図６に示される従来の構成の液晶表示装置を示す説明図である。
【発明を実施するための形態】
【００２１】
以下、図面を参照して、本発明に係る液晶表示装置の実施形態を説明する。ただし、本発明は、本明細書に例示する実施形態に限定されるものではない。
【００２２】
〔第一実施形態〕
図１は、第一実施形態に係る液晶表示装置１の断面構造を模式的に表した説明図である。図１に示されるように、液晶表示装置１は、バックライト２、液晶セル５、奥側偏光板７（７Ａ）、手前側偏光板７（７Ｂ）、及び位相差板６を備える。
【００２３】
液晶表示装置１は、所謂、透過型液晶表示装置であり、光源としてのバックライト２を備える。
【００２４】
前記液晶セル５は、液晶層３と、この液晶層３を介して向かい合う一対のガラス基板４，４を有する。液晶層３は、一対のガラス基板４，４によって挟まれた状態にある。
前記液晶層３は、動作モードがＶＡモードであり、負の誘電異方性を有する液晶分子を含む。前記一対のガラス基板４，４のうち、バックライト側に配置する方が奥側ガラス基板４Ａであり、他方が手前側ガラス基板４Ｂである。  
【００２５】
奥側ガラス基板４Ａは、透明なガラス板上に、ＴＦＴ及び画素電極が、それぞれマトリックス状に複数個形成されたものであり、所謂、ＴＦＴ基板として知られているものと同種である。但し、本実施形態の奥側ガラス基板４Ａは、従来のものとは異なり、奥側ガラス基板４Ａのガラス板が、気泡４０を含んでいる。
【００２６】
奥側ガラス基板４Ａのガラス板の気泡４０は、ガラス板の製造時に、積極的に形成されたものではなく、やむを得ず形成されたものである。本実施形態の液晶表示装置１は、従来、使用できずに廃棄されていた気泡を含むガラス板を、奥側ガラス基板４Ａの材料として使用したものである。
【００２７】
なお、本実施形態において、奥側ガラス基板４Ａのガラス板に含まれる気泡の大きさ、及び気泡の形状、及び気泡の数は、位相差板６によって輝点欠陥の低減を図ることができれば、特に制限はなく、目的に応じて適宜選択される。本実施形態においては、ガラス板が、好ましくは０．２０ｍｍ以上、より好ましくは、０．４０ｍｍ以上の大きさの気泡を含んでいても、そのガラス板をガラス基板４に使用できる。
なお、高品質の画像が得られる等の理由により、気泡の大きさは、好ましくは２．０ｍｍ以下、より好ましくは１．０ｍｍ以下である。
【００２８】
前記ガラス板としては、フロート法、フュージョン法、ドローダウン法等の公知のガラス板製造方法を用いて製造されたものを使用できる。
【００２９】
なお、少なくとも奥側ガラス基板４Ａのガラス板の製造方法としては、フュージョン法が好ましい。このフュージョン法は、ガラス板原材料を自重で垂直方向に延伸しながら、ガラス板を製造するものである。そのため、フュージョン法で製造されたガラス板中には、細長く延びた形状（例えば、円錐状、針状）の気泡が形成されることがある。
このような気泡を含んだガラス板をガラス基板４として使用すると、その気泡によってバックライト２からの光が屈折し、液晶表示装置の表示面に特殊な輝点欠陥を発生させることがある。その輝点欠陥とは、液晶表示装置の表示面を正面（表示面に対し垂直方向）から見た場合には視認されないが、その表示面を斜め方向から見た場合にのみ視認されるというものである。このような特殊な輝点欠陥は、大型の液晶表示装置において、従来、特に問題となっている。
本実施形態の液晶表示装置１においては、そのような細長く延びた形状の気泡を含んだガラス板であっても、ガラス基板４として利用できる。
【００３０】
手前側ガラス基板４Ｂは、透明なガラス板上に、複数色のＣＦ層及び共通電極が、順次積層されたものであり、所謂、ＣＦ基板として知られているものと同種である。本実施形態においては、手前側ガラス基板４Ｂに使用されるガラス板は、従来と同様、気泡を含んでいないもの、又は従来、輝点の原因とならず許容されている大きさの気泡を含んだもの、が使用される。
なお、他の実施形態においては、奥側ガラス基板４Ａと同様、気泡を含んだガラス板を、手前側ガラス基板４Ｂのガラス板として使用してもよい。
【００３１】
前記一対のガラス基板４（４Ａ，４Ｂ）は、その他、配向膜等を備える。なお、説明の便宜上、図１には、ガラス基板４としてガラス板のみを示し、その他の構成は省略した。その他の図面においても、同様である。
【００３２】
図１に示されるように、前記奥側偏光板７（７Ａ）、及び前記手前側偏光板７（７Ｂ）は、前記液晶セル５を挟んで向かい合い、所謂、クロスニコル配置している。本実施形態の液晶表示装置１は、前記液晶セル５と、これらの偏光板７（７Ａ，７Ｂ）とを組み合わせて、ノーマリーブラックモードで表示を行う。
これらの偏光板７（７Ａ，７Ｂ）としては、従来、この種の液晶表示装置に使用されるものと同様のものを使用できる。
【００３３】
前記奥側偏光板７（７Ａ）の両表面には、トリアセチルセルロース等からなる透明支持板８，９が積層されている。
【００３４】
他方、前記手前側偏光板７（７Ｂ）の奥側（バックライト側）の表面に、位相差板６が積層されている。なお、手前側偏光板７（７Ｂ）の他の表面（手前側の表面）には、トリアセチルセルロース等からなる透明支持板１０が積層されている。
【００３５】
前記位相差板６の材料は、従来、この種の液晶表示装置に使用されるものと同様である。位相差板６としては、例えば、トリアセチルセルロースからなるフィルムを２軸延伸したもの（２軸性位相差フィルム）、１軸延伸したもの（１軸性位相差フィルム）等が挙げられる。
【００３６】
ただし、位相差板６は、図１に示されるように、従来とは異なり、手前側ガラス基板４（４Ｂ）と手前側偏光板７（７Ｂ）との間にのみ配置している。このような個所に位相差板６を配置することによって、ガラス基板４のガラス板に気泡４０が含まれていても、その気泡４０による輝点欠陥の発生を抑制できる。以下、その理由を説明する。
【００３７】
図１に示される液晶表示装置１は、黒表示の状態にある。図１に示されるように、バックライト２から照射された光のうち、奥側偏光板７（７Ｂ）及び液晶セル５を、それらの厚み方向（積層方向、図１に示される矢印Ａ）に沿って真っ直ぐに入射し、かつ通過した光Ｌ０は、その後、位相差板６を通過して手前側偏光板７（７Ｂ）で吸収され、遮られる。
なお、位相差板６は、液晶セル５（液晶層３）等を、真っ直ぐに通過する光Ｌ０の位相差は補償しない。
【００３８】
バックライト２から照射された光のうち、奥側偏光板７（７Ｂ）及び液晶セル５を、それらの厚み方向に対して斜めに入射し、進行する光Ｌ１も、その後、位相差板６を通過して手前側偏光板７（７Ｂ）で吸収され、遮られる。位相差板６は、液晶セル５（液晶層３）等を、その厚み方向に対して斜めに進む光Ｌ１の位相差を補償する。そのため、位相差が補償された光Ｌ１は、前記Ｌ０と同様に、手前側偏光板７（７Ｂ）で吸収され、遮られる。
液晶層３及び偏光板７（７Ａ，７Ｂ）は、それぞれ複屈折性を有し、特に液晶層３は大きな複屈折性を有する。そのため、位相差板６は、少なくとも液晶層３を、その厚み方向に対して斜めに進み、横切る光の位相差を補償する必要がある。なお、本実施形態においては、位相差板６は、液晶層３の複屈折性と共に、偏光板７（７Ａ，７Ｂ）の複屈折性をも光学補償するものであり、それらをも考慮した光学特性値（Ｒｅ、Ｒｔｈ等）を備える。
【００３９】
バックライト２から照射された光のうち、奥側偏光板７Ａを、その厚み方向に沿って真っ直ぐに進んだ光であって、その後、奥側ガラス基板４（４Ａ）に入射して、奥側ガラス基板４（４Ａ）のガラス板に含まれている気泡４０で屈折等した光Ｌ２は、液晶層３、手前側ガラス基板４（４Ｂ）及び位相差板６を、それらの厚み方向に対して斜めに進行する。この光Ｌ２は、位相差板６を斜めに横切り、その位相差板６で光学補償されるため、その後、手前側偏光板７（７Ｂ）で吸収され、遮られる。
【００４０】
本実施形態においては、図１に示されるように、位相差板６は、手前側ガラス基板４（４Ｂ）及び手前側偏光板７（７Ｂ）の間に配置しており、つまり、手前側ガラス基板４（４Ｂ）よりも手前（表示側、視認側）に配置している。
しかしながら、すべての位相差板６が、気泡を含んだガラス基板４（奥側ガラス基板４Ａ）よりも、手前（表示側、視認側）に配置されていると、バックライト２からの光Ｌ２のように、気泡４０で屈折等して、大きな複屈折性を有する液晶層３を、その厚み方向に対して斜めに進行しても、その光Ｌ２を、位相差板６によって光学補償できる。
【００４１】
以上のように、本実施形態の液晶表示装置１は、位相差板６を、奥側ガラス基板４Ａよりも手前にのみ配置することによって、奥側ガラス基板４Ａの気泡４０により発生する輝点欠陥を暗色化（黒色化）し、抑制できる。
【００４２】
以下、図２〜図４を参照して、他の実施形態に係る液晶表示装置について説明する。
【００４３】
〔第二実施形態〕
図２は、第二実施形態に係る液晶表示装置１１の断面構造を模式的に表した説明図である。図２に示されるように、液晶表示装置１１は、位相差板６及び奥側偏光板７（７Ａ）が、液晶セル５に含まれた構成となっている。位相差板６は、液晶層３及び奥側偏光板７（７Ａ）の間に配置している。なお、図２に示される液晶表示装置１１の基本的な構成は、第一実施形態の液晶表示装置１と同様であり、図１と同符号を付して、それらの説明を省略する。
【００４４】
液晶表示装置１１では、位相差板６は、奥側ガラス基板４（４Ａ）よりも手前に配置している。そのため、液晶表示装置１１が黒表示の際、バックライト２からの光が、奥側ガラス基板４（４Ａ）のガラス板中に含まれている気泡４０で屈折しても、その気泡４０で屈折せずに手前側偏光板７（７Ｂ）で遮光される光Ｍ０，Ｍ１と同様、その屈折した光Ｍ２は、手前側偏光板７（７Ｂ）で遮光される。
【００４５】
〔第三実施形態〕
図３は、第三実施形態に係る液晶表示装置２１の断面構成を模式的に表した説明図である。図３に示されるように、液晶表示装置２１は、２枚の位相差板６，６（６Ａ，６Ｂ）を備え、そのうち奥側に配置する一方の位相差板６（６Ａ）が液晶セル５に含まれている。また、奥側偏光板７（７Ａ）も、液晶セル５に含まれている。本実施形態において、位相差板６（６Ａ）は、液晶層３と奥側偏光板７（７Ａ）との間に配置している。なお、もう一方の位相差板６（６Ｂ）は、手前側偏光板７（７Ｂ）と手前側ガラス基板４（４Ｂ）との間に配置している。図３に示される液晶表示装置２１の基本的な構成は、第一実施形態の液晶表示装置１と同様であり、図１と同符号を付して、それらの説明を省略する。
【００４６】
液晶表示装置２１では、２枚の位相差板６，６（６Ａ，６Ｂ）で、光学補償を行う。これらの位相差板６，６（６Ａ，６Ｂ）は、何れも奥側ガラス基板４（４Ａ）よりも手前に配置している。そのため、液晶表示装置２１が黒表示の際、バックライト２からの光が、奥側ガラス基板４（４Ａ）のガラス板中に含まれている気泡４０で屈折しても、その気泡で屈折せずに手前側偏光板７（７Ｂ）で遮光される光Ｎ０，Ｎ１と同様、その屈折した光Ｎ２は、手前側偏光板７（７Ｂ）で遮光される。
【００４７】
〔第四実施形態〕
図４は、第四実施形態に係る液晶表示装置３１の断面構成を模式的に表した説明図である。図４に示されるように、液層表示装置３１は、位相差板６及び奥側偏光板７（７Ａ）が、液晶セル５に含まれた構成となっている。位相差板６は、手前側ガラス基板４（４Ｂ）及び液晶層３の間に配置している。奥側偏光板７（７Ａ）は、液晶層３と奥側ガラス基板４（４Ａ）との間に配置している。なお、図４に示される液晶表示装置３１の基本的な構成は、第一実施形態の液晶表示装置１と同様であり、図１と同符号を付して、それらの説明を省略する。
【００４８】
液晶表示装置３１では、位相差板６は、奥側ガラス基板４（４Ａ）よりも手前に配置している。そのため、液晶表示装置３１が黒表示の際、バックライト２からの光が、奥側ガラス基板４（４Ａ）のガラス板中に含まれている気泡４０で屈折しても、その気泡４０で屈折せずに手前側偏光板７（７Ｂ）で遮光される光Ｏ０，Ｏ１と同様、その屈折した光Ｏ２は、手前側偏光板７（７Ｂ）で遮光される。
【００４９】
以上の通り、各実施形態の液晶表示装置は、何れも液晶の動作モードが、ＶＡモードであるが、本発明の液晶表示装置の液晶の動作モードは、特に制限はなく、目的に応じて適宜選択される。他の実施形態においては、ＴＮモード、ＳＴＮモード、ＩＰＳモード、ＣＰＡモード、ＯＣＢモード等の種々の動作モードであってもよい。
【００５０】
また、各実施形態の液晶表示装置は、何れも透過型の表示方式であるが、本発明の液晶表示装置の表示方式は、特に制限はなく、目的に応じて適宜選択される。他の実施形態においては、反射型、投影型等の他の表示方式であってもよい。
【００５１】
本発明の液晶表示装置によれば、ガラス基板のガラス板内に含まれる気泡サイズの許容範囲を拡大できる。
【符号の説明】
【００５２】
１，１１，２１，３１  液晶表示装置
２  バックライト
３  液晶層
４  ガラス基板
４Ａ  奥側ガラス基板
４Ｂ  手前側ガラス基板
５  液晶セル
６  位相差板
７  偏光板
７Ａ  奥側偏光板
７Ｂ  手前側偏光板
８，９，１０  透明支持板
４０  気泡  
【図１】
2010276670.tif 000003
【図２】
2010276670.tif 000004
【図３】
2010276670.tif 000005
【図４】
2010276670.tif 000006
【図５】
2010276670.tif 000007
【図６】
2010276670.tif 000008
【図７】
2010276670.tif 000009
【図８】
2010276670.tif 000010